【手続補正書】
【提出日】平成19年5月17日(2007.5.17)
【手続補正１】
【補正対象書類名】明細書
【補正対象項目名】発明の名称
【補正方法】変更
【補正の内容】
【発明の名称】コンピュータ装置及びキーボード
【手続補正２】
【補正対象書類名】明細書
【補正対象項目名】特許請求の範囲
【補正方法】変更
【補正の内容】
【特許請求の範囲】
【請求項１】
各種信号処理を実行する本体部に各種命令を与えるためのキーボードと、上記本体部から与えられる上記信号処理内容を表示パネルに表示する表示手段とを有するコンピュータ装置において、
上記キーボードは、
上記本体部に与える上記各種命令を入力するための各種操作キーが配設された一面と対向する他面に、上記表示手段の上記表示パネルを支持する台座を挿入し得るような溝部が設けられた
ことを特徴とするコンピュータ装置。
【請求項２】
上記キーボードは、上記他面に、所定の傾斜面を有する上記台座を挿入し得るように、当該台座と対峙する一端側が他端側よりも深いテーパ形状でなる溝部が設けられた
ことを特徴とする請求項１に記載のコンピュータ装置。
【請求項３】
上記キーボードは、上記他面の上記一端側に水平面に対する上記一面の角度を調整する角度調整機構が設けられ、当該角度調整機構により上記水平面に対する上記一面の角度を調整した状態で、上記台座を挿入し得るように上記溝部が設けられた
ことを特徴とする請求項２に記載のコンピュータ装置。
【請求項４】
上記角度調整機構は、上記溝部を挟む位置に設けられた
ことを特徴とする請求項３に記載のコンピュータ装置。
【請求項５】
各種操作キーが配設された一面と対向する他面に、表示パネルを支持する台座を挿入し得るような溝部が設けられた
ことを特徴とするキーボード。
【請求項６】
上記溝部は、上記他面に、所定の傾斜面を有する上記台座を挿入し得るように、当該台座と対峙する一端側が他端側よりも深いテーパ形状でなる
ことを特徴とする請求項５に記載のキーボード。
【請求項７】
上記他面の上記台座と対峙する一端側に、水平面に対する上記一面の角度を調整する角度調整機構が設けられ、当該角度調整機構により上記水平面に対する上記一面の角度を調整した状態で、上記台座を挿入し得るように上記溝部が設けられた
ことを特徴とする請求項５に記載のキーボード。
【手続補正３】
【補正対象書類名】明細書
【補正対象項目名】０００１
【補正方法】変更
【補正の内容】
【０００１】
【発明の属する技術分野】
本発明はコンピュータ装置及びキーボードに関し、例えばデスクトップ型のパーソナルコンピュータ及びこれに用いられるキーボードに適用して好適なものである。
【手続補正４】
【補正対象書類名】明細書
【補正対象項目名】００１５
【補正方法】変更
【補正の内容】
【００１５】
本発明は以上の点を考慮してなされたもので、キーボードの収納効率を向上し得るコンピュータ装置及びキーボードを提案しようとするものである。
【手続補正５】
【補正対象書類名】明細書
【補正対象項目名】００１６
【補正方法】変更
【補正の内容】
【００１６】
【課題を解決するための手段】
かかる課題を解決するため請求項１〜４にかかる発明においては、各種信号処理を実行する本体部に各種命令を与えるためのキーボードと、本体部から与えられる信号処理内容を表示パネルに表示する表示手段とを有するコンピュータ装置において、キーボードの、本体部に与える各種命令を入力するための各種操作キーが配設された一面と対向する他面に、表示手段の表示パネルを支持する台座を挿入し得るような溝部を設けるようにした。
【手続補正６】
【補正対象書類名】明細書
【補正対象項目名】００１８
【補正方法】変更
【補正の内容】
【００１８】
また請求項５〜７にかかる発明においては、キーボードにおいて、所定の命令を入力するための各種操作キーが配設された一面と対向する他面に、所定の表示パネルを支持する台座を挿入し得るような溝部を設けるようにした。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００５３
【補正方法】変更
【補正の内容】
【００５３】
図６〜図８に示すように、キーボード筐体１１２にはキーボードカバー１２１が装着されている。図７及び図９に示すように、キーボードカバー１２１は第１のカバー半体１２２と第２のカバー半体１２３とから成っており、夫々の連結部１２４及び１２５における凹凸嵌合やピンの挿入によって第１のカバー半体１２２と第２のカバー半体１２３とが互いに揺動可能に連結されている。但し、ポリプロピレン等の柔軟で曲げても折れにくい材料によって第１のカバー半体１２２と第２のカバー半体１２３とが一体成形されていて、それらの連結部で第１のカバー半体１２２と第２のカバー半体１２３とが揺動可能になっていてもよい。
【手続補正２４】
【補正対象書類名】明細書
【補正対象項目名】００５９
【補正方法】変更
【補正の内容】
【００５９】
但し、図７からも明らかなように、キーボードカバー１２１もホットキー１１６はカバーしないので、例えばホットキー１１６に、本体部１１（図１）の電源投入や、当該本体部１１に電源の投入からインターネット又は電子メール等の所定のアプリケーションソフトウェアを立ち上げるまでの一連の処理を一括して実行させるような命令が割り当てられている場合、当該ホットキー１１６はキーボード１１１のキー配列面１１３Ａがキーボードカバー１２１によって覆われた場合でも操作し得るようになされている。
【手続補正２５】
【補正対象書類名】明細書
【補正対象項目名】００６２
【補正方法】変更
【補正の内容】
【００６２】
そして、既述の様に、連結部１２４及び１２５に垂直な方向における第２のカバー半体１２３の幅が第１のカバー半体１２２の幅よりも広いので、第２のカバー半体１２３のうちで第１のカバー半体１２２とは反対側の縁部がキーボード筐体１１２のうちで凹部１１７側の縁部に乗り掛かる。つまり、折り畳まれた第１のカバー半部１２２及び第２のカバー半体１２３によって、キーボード筐体１１２のうちで凹部１１７側の縁部からキーボード筐体１１２の載置面まで傾斜している断面略三角形の空間が形成されて、折り畳まれた第１のカバー半体１２２及び第２のカバー半体１２３がパームレストになる。従って、キーボードカバー１２１の素材や塗装を柔軟なものや滑りにくいものにしておけば、手に優しい使い心地でキー１１４等を操作することができる。
【手続補正２６】
【補正対象書類名】明細書
【補正対象項目名】００９１
【補正方法】変更
【補正の内容】
【００９１】
【発明の効果】
上述のように本発明によれば、請求項１〜４にかかるコンピュータ装置において、キーボードの本体部に与える各種命令を入力するための各種操作キーが配設された一面と対向する他面に、表示手段の上記表示パネルを支持する台座を挿入し得るような溝部を設けるようにしたことにより、キーボードを表示パネルに近づけて溝部に台座を挿入することにより、特別な収納部材を用いることなく、このキーボードを台座を有効に利用して収納することができ、かくしてキーボードの収納効率を向上し得るコンピュータ装置を実現することができる。
【手続補正２７】
【補正対象書類名】明細書
【補正対象項目名】００９２
【補正方法】変更
【補正の内容】
【００９２】
また請求項５〜７にかかるキーボードにおいて、所定の命令を入力するための各種操作キーが配設された一面と対向する他面に、所定の表示パネルを支持する台座を挿入し得るような溝部を設けるようにしたことにより、キーボードを表示パネルに近づけて溝部に台座を挿入することにより、特別な収納部材を用いることなく、このキーボードを台座を有効に利用して収納することができ、かくして収納効率を向上し得るキーボードを実現することができる。
【手続補正２８】
【補正対象書類名】明細書
【補正対象項目名】００９３
【補正方法】削除
【補正の内容】
【手続補正２９】
【補正対象書類名】明細書
【補正対象項目名】００９４
【補正方法】削除
【補正の内容】
【手続補正３０】
【補正対象書類名】明細書
【補正対象項目名】００９５
【補正方法】削除
【補正の内容】
【手続補正３１】
【補正対象書類名】明細書
【補正対象項目名】００９６
【補正方法】削除
【補正の内容】
【手続補正３２】
【補正対象書類名】明細書
【補正対象項目名】００９７
【補正方法】削除
【補正の内容】
【手続補正３３】
【補正対象書類名】明細書
【補正対象項目名】００９８
【補正方法】削除
【補正の内容】
【手続補正３４】
【補正対象書類名】明細書
【補正対象項目名】００９９
【補正方法】削除
【補正の内容】
【手続補正３５】
【補正対象書類名】明細書
【補正対象項目名】０１００
【補正方法】削除
【補正の内容】
【手続補正３６】
【補正対象書類名】明細書
【補正対象項目名】０１０１
【補正方法】削除
【補正の内容】
【手続補正３７】
【補正対象書類名】明細書
【補正対象項目名】０１０２
【補正方法】削除
【補正の内容】
【手続補正３８】
【補正対象書類名】明細書
【補正対象項目名】０１０３
【補正方法】削除
【補正の内容】